【手続補正書】
【提出日】平成16年11月22日(2004.11.22)
【手続補正１】
【補正対象書類名】特許請求の範囲
【補正対象項目名】全文
【補正方法】変更
【補正の内容】
【特許請求の範囲】
【請求項１】
転写テープが巻装された供給リールと巻取リールとをテープケースの内部に設置し、供給リールと巻取リールを連動して回転させる転写テープ具であって、前記テープケースの内部に配置されて供給リールと巻取リールを回転自在に支持させる支持体と、前記支持体に設けて前記転写テープを案内すると共に前記テープケースの開口から突出・退入自在なテープヘッドと、前記テープケースに支持体を移動自在にガイドさせるスライドガイドと、前記テープヘッドがテープケースの内部に後退する方向に前記支持体を弾圧するバネと、テープヘッドが突出位置とテープケース内への後退位置とに選択的に保持されるように支持体を操作できる手段を備えたことを特徴とする転写テープ具。
【請求項２】
前記テープヘッド及びスライドガイドを支持体に一体に形成して、前記スライドガイドを前記テープケースの内面に当接させていることを特徴とする請求項１に記載の転写テープ具。
【手続補正２】
【補正対象書類名】明細書
【補正対象項目名】全文
【補正方法】変更
【補正の内容】
【発明の詳細な説明】
【発明の名称】転写テープ具
【技術分野】
【０００１】
本発明は、本発明は例えば紙面の文字などの表面に不透明膜を転写して消す修正テープ、または糊を転写する糊付テープなどの転写テープを内蔵させる転写テープ具に関するものである。
【背景技術】
【０００２】
従来、転写テープを巻装させる供給リールと巻取リールを支持体に設け、前記支持体をテープケースに内設させる転写テープ具がある（例えば、特許文献１参照）。
【特許文献１】特開２０００−２１１７９９号公報
【発明の開示】
【発明が解決しようとする課題】
【０００３】
前記従来技術は、転写テープを案内するテープヘッドをテープケースから常に突出させていたから、テープヘッドを覆うキャップを設けて該部の転写テープを保護する必要がある。前記キャップを取外したり移動させてテープヘッドを露出させる操作を行う必要がある。また、キャップを取外したときに紛失し易い。そこで、テープケースからテープヘッドを退入自在に進出させることもできるが、供給リールと巻取リール間に巻装させた転写テープが、テープヘッドの進出にて引き出されるから、テープヘッドを退入させたときに転写テープが弛む不具合がある。
【課題を解決するための手段】
【０００４】
請求項１に係る発明は、転写テープが巻装された供給リールと巻取リールとをテープケースの内部に設置し、供給リールと巻取リールを連動して回転させる転写テープ具であって、前記テープケースの内部に配置されて供給リールと巻取リールを回転自在に支持させる支持体と、前記支持体に設けて前記転写テープを案内すると共に前記テープケースの開口から突出・退入自在なテープヘッドと、前記テープケースに支持体を移動自在にガイドさせるスライドガイドと、前記テープヘッドがテープケースの内部に後退する方向に前記支持体を弾圧するバネと、テープヘッドが突出位置とテープケース内への後退位置とに選択的に保持されるように支持体を操作できる手段を備えたことを特徴とする。
請求項２に係る発明は、前記スライドヘッド及びテープガイドを支持体に一体に形成して、前記スライドガイドを前記テープケースの内面に当接させていることを特徴とする。
【発明の効果】
【０００５】
請求項１に係る発明は、前記テープケースの内部に配置されて供給リールと巻取リールを回転自在に支持させる支持体と、前記支持体に設けて前記転写テープを案内すると共に前記テープケースの開口から突出・退入自在なテープヘッドとを備えたものであるから、テープヘッドを出入させてもテープヘッドと前記供給及び巻取リール間の距離が略一定に保たれ、転写テープの張力を殆んど変化させることなくテープヘッドが出入され、テープヘッドの出入にて転写テープが弛むのを防止できる。また、前記テープケースの内部にてスライドガイドを介して支持体がスライド移動するから、テープヘッドの進出または退入または移動の途中のそれぞれで支持体がテープケースに適正な姿勢で支持され、供給及び巻取リールまたはテープヘッドまたは転写テープなどがテープケースの内面側に接触して損傷するのを低減できる。また、テープヘッドのスライドは、進出と退入を操作する手段とバネにて行われるから、テープヘッドを覆う従来のキャップなどを不要にすることができ、従来のようにキャップまたは指などにて転写テープが損傷するのを低減できる。
【発明を実施するための最良の形態】
【０００６】
以下、本発明の実施形態を図面に基づいて詳述する。図１は全体の正面図、図２は同側面図、図３は断面正面図、図４は断面側面図である。転写テープ具は、合成樹脂製の平板形の支持体１を備えており、この支持体１に２本のリール軸２，３を一体形成し、供給リール４と巻取リール５を各リール軸２，３に回転自在に軸支させ、各リール４，５に一体形成するプーリ６，７にゴムベルト８を張設させ、ベルト８を介して各リール４，５を連動して回転させる。
【０００７】
また、前記支持体１の両面にスライドガイド９，１０を一体形成し、一方のガイド１０にテープヘッド１１を一体形成し、紙面などに不透明な塗料（または糊）を塗着させる転写テープ１２を供給リール４に巻装させ、転写テープ１２をテープヘッド１１によって紙面などに圧着させて塗料（または糊）を装着させ、塗料（または糊）を塗着後の転写テープ１２を巻取リール５に巻取らせ、紙面の文字などの修正（または封筒の糊付）を行うように構成している。
【０００８】
さらに、２つ割面１３を介してケース本体１４，１５を合体させて合成樹脂製のテープケース１６を形成し、前記スライドガイド９，１０の案内によって摺動自在に支持体１をテープケース１６に内設させると共に、前記テープヘッド１１を出入させる開口１７をケース１６下側に形成し、ケース１６上側に出入自在に突出させる押ボタン１８を支持体１の上部に一体形成し、また前記ケース１６内部にテープヘッド１１を退入させるバネ１９を支持体１の下部に弾圧させ、前記ケース１６を握った手の指で押ボタン１８を押すことにより、バネ１９に抗して支持体１を摺動させ、図５乃至図７に示す如く、ケース１の開口１７からテープヘッド１１を進出させるように構成している。
【０００９】
また、前記支持体１にフック２０を一体形成し、テープヘッド１１がケース１６から突出した使用状態でケース本体１５の突起２１に前記フック２０を係合させ、フック２０と突起２１の係合により、バネ１９に抗してテープヘッド１１がケース１６から突出した使用状態を維持させ、転写テープ１２の塗料（または糊）を紙面などに塗着させる操作を行うと共に、前記ケース本体１５に解除ボタン２２を一体形成し、図７のように、テープヘッド１１がケース１６から突出した状態下で、解除ボタン２２を指で押込むことにより、解除ボタン２２がフック２０に当接し、フック２０を突起２１から離脱させ、バネ１９によって支持体１を摺動させ、図４のようにテープヘッド１１をケース１６内部に退入させるように構成している。
【００１０】
上記のように、転写テープ１２を巻装させる供給リール４と巻取リール５を支持体１に設け、前記支持体１をテープケース１６に内設させる転写テープ具において、前記転写テープ１２を案内するテープヘッド１１を前記支持体１に設けると共に、前記テープケース１６に支持体１を摺動自在に内設させ、テープケース１６の開口１７からテープヘッド１１を進出させたり退入させるように構成する。そして、テープケース１６の内部にテープヘッド１１を退入させることにより、不使用（保管）時に転写テープ１２またはテープヘッド１１などが損傷するのを防止し、テープヘッド１１を覆う従来のキャップを不要にし、キャップの脱着または摺動などの操作を省き、脱着によってキャップを紛失する等の不具合もなくすと共に、テープヘッド１１を支持体１に設けることにより、テープヘッド１１を出入させてもテープヘッド１１と前記各リール４，５間の距離を略一定に保ち、転写テープ１２の張力を殆んど変化させることなくテープヘッド１１の出入を行い、製造コストの低減、並びに取扱い操作性の向上などを図る。
【００１１】
また、支持体１を摺動させてテープヘッド１１を進出させる操作体である押ボタン１８を支持体１に設け、テープケース１６の外側に前記押ボタン１８を突出させると共に、テープヘッド１１を突出させた状態に係止させるロック体であるフック２０と、テープヘッド１１を退入させるバネ１９を設け、前記テープヘッド１１の出入を押ボタン１８によって行い、テープヘッド１１を指で握って出入させる操作などを不要にし、指が転写テープ１２に接触して損傷させる等の不具合をなくすと共に、バネ１９によってテープヘッド１１を退入動作させ、テープヘッド１１を押込む操作などを不要にし、テープヘッド１１の押込によって転写テープ１２を損傷させる等の不具合をなくし、取扱い操作性の向上などを図る。
【００１２】
上記から明らかなように、転写テープ１２を巻装させる供給リール４と巻取リール５とを、テープケース１６の内部に設置し、供給リール４と巻取リール５を連動して回転させる転写テープ具において、供給リール４と巻取リール５を回転自在に支持させる支持体１と、前記支持体１に設けて前記転写テープ１２を案内するテープヘッド１１と、前記テープケース１６に支持体１を移動自在に内設させるスライドガイド９，１０と、テープヘッド１１を出入させるテープケース１６の開口１７側で支持体１に弾圧させてテープヘッド１１を退入させるバネ１９と、テープヘッド１１が突出位置とテープケース１６内への後退位置とに選択的に操作できる手段である押ボタン１８及び解除ボタン２２を備える。このように、前記供給及び巻取リール４，５とテープヘッド１１とを支持体１に設けるから、テープヘッド１１を出入させてもテープヘッド１１と前記供給及び巻取リール４，５間の距離が略一定に保たれ、転写テープ１２の張力を殆んど変化させることなくテープヘッド１１が出入され、テープヘッド１１の出入にて転写テープ１２が弛むのを防止できる。また、前記テープケース１６の内部にてスライドガイド９，１０を介して支持体１が移動するから、テープヘッド１１の進出または退入または移動の途中のそれぞれで支持体１がテープケース１６に適正な姿勢で支持され、供給及び巻取リール４，５またはテープヘッド１１または転写テープ１２などがテープケース１６の内面側に接触して損傷するのを低減できる。また、テープヘッド１１の進出と退入が操作手段である押ボタン１８及び解除ボタン２２とバネ１９にて行われるから、テープヘッド１１を覆う従来のキャップなどを不要にすることができ、従来のようにキャップまたは指などにて転写テープ１２が損傷するのを低減できる。
【００１３】
さらに、図８、図９に示す如く、支持体１を摺動させてテープヘッド１１をテープケース１６から出入させる操作体を、押ボタン１８に代え、スライドボタン２３によって形成してもよく、支持体１にスライドボタン２３を一体形成し、スライドボタン２３に退入フック２４と進出フック２５を一体形成し、図８のように、テープケース１６の退入突起２６に退入フック２４を弾性係合させ、スライドボタン２３の摺動操作によりテープヘッド１１を退入支持させる一方、図９のように、テープケース１６の進出突起２７に進出フック２５を弾性係合させ、スライドボタン２３の摺動操作によりテープヘッド１１を進出支持させてもよい。
【００１４】
また、図１０に示す如く、リール４，５取付け側の支持体１を内設させる上ケース２８とテープヘッド１１を内設させる下ケース２９とに、テープケース１６を分割して形成し、上下のケース２８，２９を三条ネジ形の送りネジ３０によって伸縮自在に形成し、上下ケース２８，２９の回転操作によってテープケース１６の長さを変更させ、ケース１６の伸張によってテープヘッド１１を退入させる一方、ケース１６の縮少によってテープヘッド１１を進出させてもよい。
【図面の簡単な説明】
【００１５】
【図１】全体の正面図である。
【図２】同側面図である。
【図３】断面正面図である。
【図４】断面側面図である。
【図５】使用状態の正面図である。
【図６】同断面正面図である。
【図７】同断面側面図である。
【図８】変形例を示す断面正面図である。
【図９】前図の使用状態の正面図である。
【図１０】変形例を示す断面正面図である。
【符号の説明】
【００１６】
１    支持体
４    供給リール
５    巻取リール
９，１０  スライドガイド
１１  テープヘッド
１２  転写テープ
１６  テープケース
１７  開口
１８  押ボタン
１９  バネ
２２  解除ボタン